(57)【要約】【課題】照明ユニットを前扉に簡単かつ確実に取り付けることができるようにした遊技機を提供する。【解決手段】照明ユニット20は、光透過性の円筒状の保護カバー21と、保護カバー21内に収容される管状光源22とを含む。前扉３は、前面に保護カバー21の端部が前方から嵌合可能な凹部32を有する。保護カバー21の端部を凹部32に嵌合した後、表示パネル11を前扉３の前面に取り付けることにより、照明ユニット20を前扉３と表示パネル11との間に配置する。【選択図】図２
2007117388.tif 000002
【特許請求の範囲】
【請求項１】
各種遊技機器が収容される筐体と、該筐体の前面に設けられる前扉と、前記筐体内に収容され、複数の識別情報を変動表示可能な表示装置と、前記前扉の前面に取り付けられるとともに、前記表示装置の識別情報を透視可能な表示パネルと、前記前扉に取り付けられ、前記表示装置の識別情報を照明可能な照明ユニットとを備えた遊技機において、
前記照明ユニットは、光透過性の円筒状の保護カバーと、該保護カバー内に収容される管状光源とを含み、
前記前扉は、前面に前記保護カバーの端部が前方から嵌合可能な凹部を有し、
前記保護カバーの端部を前記凹部に嵌合した後、前記表示パネルを前記前扉の前面に取り付けることにより、前記照明ユニットを前記前扉と前記表示パネルとの間に配置したことを特徴とする遊技機。
【請求項２】
前扉の前面に設けた凹部に、照明ユニットの管状光源に電気的に接続されたリード線の通過を可能にする配線溝部を設けたことを特徴とする請求項１記載の遊技機。
【発明の詳細な説明】
【技術分野】
【０００１】
本発明は、表示装置の識別情報を照明する照明ユニットを備えた遊技機に関する。
【背景技術】
【０００２】
遊技機としてのスロットマシンにおいては、各種遊技機器を収容した筐体と、筐体の前面に設けられる前扉と、筐体に収容された回転リールと、回転リールの外周面に描かれた数字、図柄等の識別情報を照明するための照明ユニットとを備えている。照明ユニットは、管状光源をなす横長の冷陰極管と、冷陰極管を収容して保護するための光透過性の円筒状の保護カバーとを有し、保護カバーの両端部を、前扉の裏面に設けた上下１対の係合爪に係合させることによって、前扉の裏面側に固定されるようになっている（例えば、特許文献１参照）。
【特許文献１】特開２００４−３５８２０６号公報
【発明の開示】
【発明が解決しようとする課題】
【０００３】
しかし、上述のような遊技機においては、前扉の裏面側から照明ユニットの保護カバーの両端部を前扉の係合爪に係合することによって、照明ユニットを前扉に固定するようになっているため、照明ユニットの取り付け作業が面倒であるとともに、遊技機の搬送やゲーム中の振動等により、照明ユニットに位置ずれが生じ、回転リールの表示面を均一に照明することができなくなるおそれがある。
【０００４】
本発明は、従来の問題に鑑みてなされたもので、照明ユニットを前扉に簡単かつ確実に取り付けることができるようにした遊技機を提供することを目的とする。
【課題を解決するための手段】
【０００５】
本発明によると、上記課題は、次のようにして解決される。
（１）各種遊技機器が収容される筐体と、該筐体の前面に設けられる前扉と、前記筐体内に収容され、複数の識別情報を変動表示可能な表示装置と、前記前扉の前面に取り付けられるとともに、前記表示装置の識別情報を透視可能な表示パネルと、前記前扉に取り付けられ、前記表示装置の識別情報を照明可能な照明ユニットとを備えた遊技機において、前記照明ユニットは、光透過性の円筒状の保護カバーと、該保護カバー内に収容される管状光源とを含み、前記前扉は、前面に前記保護カバーの端部が前方から嵌合可能な凹部を有し、前記保護カバーの端部を前記凹部に嵌合した後、前記表示パネルを前記前扉の前面に取り付けることにより、前記照明ユニットを前記前扉と前記表示パネルとの間に配置する。
【０００６】
（２）上記(１)項において、前扉の前面に設けた凹部に、照明ユニットの管状光源に電気的に接続されたリード線の通過を可能にする配線溝部を設ける。
【発明の効果】
【０００７】
本発明によれば、次のような効果が奏せられる。
（ａ）請求項１記載の発明によると、照明ユニットを前扉の前面から取り付けることができるため、照明ユニットの取り付け作業の効率化を図ることができる。また、照明ユニットを前扉と表示パネルとの間に配置したため、照明ユニットを確実に前扉に固定することができる。さらには、前扉に固定した照明ユニットにより、表示装置の識別情報は元より表示パネルを裏面側から照明して、表示パネルを光装飾することができる。
【０００８】
（ｂ）請求項２記載の発明によると、リード線が凹部と保護カバーとの間に強く挟み込まれることがなくなり、リード線の断線等を防止することができる。
【発明を実施するための最良の形態】
【０００９】
図１は、本発明を適用した遊技機の正面図、図２は、遊技機の一部分解斜視図、図３は、照明ユニット及び表示パネルを取り付ける前の遊技機の上半分の斜視図である。なお、以下の説明では、図１において図面手前側「前方」とし、図面奥側を「後方」とし、左方を「左方」とし、右方を「右方」とする。
【００１０】
遊技機（スロットマシン）(１)は、遊技媒体を円板状のメダル（コインも含む）とし、メダルを筐体(２)の前面に開閉可能に設けられた合成樹脂製の前扉(３)の前面右部に設けられたメダル投入部(４)に投入することによって後述のような所定のゲームが行われるものである。
【００１１】
筺体(２)内には、外周面に描かれた複数種類の数字、図柄等で構成される識別情報を変動表示可能な左、中、右３個の表示装置をなす回転リール(５)、遊技全体を統括的に制御する主制御基板（図示略）、主制御基板から出力される制御信号に基づいて各種制御信号を出力可能な副制御基板（図示略）、メダルを貯留及び払出可能なホッパーユニット（図示略）、各種電気機器に電力を供給する電源装置（図示略）等の遊技機器が収容されている。
【００１２】
前扉(３)の前面には、遊技を行うときにメダルが投入されるメダル投入部(４)、メダルをゲームに投資するときに操作されるベットスイッチボタン(６)、各回転リール(５)を回転させるときに操作されるスタートスイッチレバー(７)、各回転リール(５)の回転を停止させるときに操作される３個のストップスイッチボタン(８)等が設けられている。さらに前扉(３)の下部には、メダルを受け入れ可能な受け皿(９)が設けられている。
【００１３】
前扉(３)における前面のほぼ中央部には、透明なアクリル板等により形成され、各回転リール(５)の識別情報を３こまずつ透視可能な大きさの識別情報表示窓(11a)を有する表示パネル(11)が嵌め込まれて固定される。また、前扉(３)における前面の表示パネル(11)の上方には、透明なアクリル板等により形成され、前扉(３)の裏面側上部に取り付けられた液晶表示ユニット（図示略）の液晶画面に表示される遊技情報や演出を透視可能な演出情報表示窓(10a)を有するパネル(10)が嵌め込まれている。
【００１４】
主に図２、３に示すように、前扉(３)のほぼ中央部には、各回転リール(５)の識別情報を表示パネル(11)の識別情報表示窓(11a)に臨ませるための開口窓(31)が設けられている。また、開口窓(31)の上方における前扉(３)と表示パネル(11)との間には、回転リール(５)の識別情報を前方斜め上方から照明するための照明ユニット(20)が配置される。
【００１５】
表示パネル(11)は、照明ユニット(20)を後述のように前扉(３)の前面に取り付けた後、前扉(３)の開口窓(31)及び照明ユニット(20)を前面から閉塞するように、前扉(３)の前面に嵌め込まれて固定される。また、表示パネル(11)における識別情報表示窓(11a)の左方には、光透過性の複数の有効ライン表示窓(11b)が上下方向に並設され、同じく右方には、光透過性の複数の遊技情報表示窓(11c)が上下方向に並設されている。
【００１６】
なお、パネル(10)及び表示パネル(11)における各表示窓(10a)(11a)(11b)(11c)を除く領域面は、彩色、模様等が施され、不透明または半透明になっている。
【００１７】
遊技機(１)のゲームは、遊技者がメダルをメダル投入部(４)に投入した後、ベットスイッチボタン(６)の操作によりメダルの賭数を設定した後、スタートスイッチレバー(７)を操作して、全ての回転リール(５)を回転させることによって開始される。回転リール(５)が回転すると、回転リール(５)の識別情報を含む外周面は照明ユニット(20)により照明され、遊技者は、回転リール(５)の識別情報を明視することができる。
【００１８】
回転リール(５)が回転して所定時間が経過した後、３個のストップスイッチボタン(８)を順次操作して、回転リール(５)の回転を停止させ、停止した３個の回転リール(５)の図柄の組み合わせにより、入賞の有無、及び賞の大小に応じたメダルの配当枚数が確定される。入賞した場合には、入賞に応じた数のメダルがホッパーユニットから受け皿(９)に払い出される。
【００１９】
図４は、照明ユニット(20)の分解斜視図、図５は、図１におけるＶ−Ｖ線に沿う拡大縦断面図、図６は、図１におけるVI−VI線に沿う拡大縦断面図、図７は、要部の拡大正面図、図８は、要部の拡大斜視図である。
【００２０】
照明ユニット(20)は、図１に示すように、回転リール(５)の識別情報を照明し得るように、前扉(３)と表示パネル(11)との間に配置されるとともに、図４に示すように、光透過性の硬質合成樹脂材により形成される左右方向を向く円筒状の保護カバー(21)と、保護カバー(21)内に収容される管状光源をなす左右方向に長寸の冷陰極管(22)と、冷陰極管(22)を保護カバー(21)内に支持するための左右の弾性支持体(25)と、冷陰極管(22)を点灯させるための電子素子を実装したインバータ基板(23)と、インバータ基板(23)を保護するための基板カバー(24)とを含んでいる。
【００２１】
保護カバー(21)は、左右方向に冷陰極管(22)とほぼ同等の長さを有して、後述のように、前扉(３)の前面側に固定されるとともに、外周面の後部には、後面が平坦になるように上下方向へ突出した平坦部(21a)が長手方向に沿って設けられている。
【００２２】
弾性支持体(25)は、軟質の難燃性シリコンゴム等の弾性材料により形成されるとともに、保護カバー(21)の端部に嵌合される円柱状の挿入部(25a)と、保護カバー(21)の端部から露出し、前扉(３)の前面に設けられた後述の凹部(32)に嵌合されるほぼ直方体の嵌合部(25b)とを有し、その中央には、左右方向に貫通する段付き貫通孔(25c)が設けられている。
【００２３】
冷陰極管(22)は、両端部が保護カバー(21)の端部に圧入された左右の弾性支持体(25)の貫通孔(25c)にそれぞれ挿入されることによって、保護カバー(21)内に支持される。
【００２４】
冷陰極管(22)の各電極に電気的に接続されるリード線(26)は、弾性支持体(25)の貫通孔(25c)を挿通して保護カバー(21)の端部から後側へまわされて、インバータ基板(23)に電気的に接続される。
【００２５】
基板カバー(24)は、側面視ほぼコ字状をなし、前方へ突出する複数の弾性係合爪(24a)が保護カバー(21)の平坦部(21a)の上下端に弾性係合することによって、保護カバー(21)の後側に固定される。
【００２６】
インバータ基板(23)は、基板カバー(24)を保護カバー(21)に固定する前、予め、ビス(27)をもって、基板カバー(24)に固定される。
【００２７】
主に図３に示すように、照明ユニット(20)が取り付けられる前扉(３)の前面における開口窓(31)の上方には、保護カバー(21)の両端部に嵌合された弾性支持体(25)(25)がそれぞれ嵌合する左右の凹部(32)(32)が設けられている。
【００２８】
凹部(32)(32)は、前方及び互いに対向する側（左の凹部(32)においては右側、右の凹部(32)においては、左側）が開口している。これにより、保護カバー(21)の両端部（弾性支持体(25)(25)）を、前扉(３)の前方から凹部(32)(32)にそれぞれ嵌合することができる。
【００２９】
主に図６、７及び図８に示すように、凹部(32)の内側面には、前後方向を向く２本の突条部(32a)、同じく上下面には、凹部(32)の開口幅を狭めるように突出する突条部(32b)、また、凹部(32)の奥面には、照明ユニット(20)のリード線(26)が通過し得る程度の幅を有する配線溝部(32c)が設けられている。
【００３０】
照明ユニット(20)は、表示パネル(11)を前扉(３)の前面に取り付ける前、保護カバー(21)の両端部に嵌合された弾性支持体(25)の嵌合部(25b)を、前扉(３)の前方から凹部(32)に嵌合することによって前扉(３)の前面に仮止め固定される。このとき、リード線(26)は、凹部(32)内において２本の突条部(32a)間、及び配線溝部(32c)を通るように配線される。また、弾性支持体(25)が凹部(32)に嵌合した状態においては、図７に示すように、弾性支持体(25)の嵌合部(25b)の端面は、突条部(32a)に当接し、また、同じく上下面は、上下の突条部(32b)にそれぞれ当接している。これにより、弾性支持体(25)の嵌合部(25b)を凹部(32)に容易かつ確実に嵌合することができる。
【００３１】
照明ユニット(20)を前扉(３)の前面に仮止め固定した後、表示パネル(11)を前扉(３)の前面に固定する。これにより、図６に示すように、照明ユニット(20)の保護カバー(21)の両端部に嵌合された弾性支持体(25)は、その後面が凹部(32)の奥部（具体的には、上下の突条部(32b)の段差部）に当接するとともに、前面が表示パネル(11)の裏面に近接（または当接）した状態で、凹部(32)内に固定される。よって、照明ユニット(20)は、表示パネル(11)の裏面と前扉(３)の前面側との間に挾持されるような形態で前扉(３)に配置される。また、リード線(26)は、突条部(32a)(32a)間、配線溝部(32c)を通って配線されるため、凹部(32)と保護カバー(21)との間に強く挟み込まれることがない。これにより、リード線(26)の断線等を防止することができる。
【００３２】
また、図５に示すように、照明ユニット(20)の保護カバー(21)の前部は、表示パネル(11)の裏面に近接（または当接）し、また、基板カバー(24)の後面は、前扉(３)における開口窓(31)の真上に設けられた垂下片(33)に近接（または当接）する。これにより、保護カバー(21)の長手方向の中央部のがた付きを抑えることができる。
【００３３】
以上、本発明の各実施形態について説明したが、本発明の要旨を逸脱しない範囲内で、各実施形態に対して、次のような種々の変形や変更を施すことが可能である。
（ｉ）遊技機(１)を、パチンコ機、遊技媒体をパチンコ玉としたスロットマシン等とする。
（ii）表示装置を、回転リール(５)に代えて、無端偏平状のベルトとする。
（iii）保護カバー(21)の端部に嵌合された弾性支持体(25)を、前扉(３)に設けられた凹部(32)に嵌合することに代えて、保護カバー(21)の端部を凹部(32)に直接嵌合するようにする。
【図面の簡単な説明】
【００３４】
【図１】本発明を適用した遊技機の正面図である。
【図２】遊技機の一部分解斜視図である。
【図３】照明ユニット及び表示パネルを取り付ける前の遊技機の上部の斜視図である。
【図４】照明ユニットの分解斜視図である。
【図５】図１におけるＶ−Ｖ線に沿う拡大縦断面図である。
【図６】図１におけるVI−VI線に沿う拡大縦断面図である。
【図７】要部の拡大正面図である。
【図８】要部の拡大斜視図である。
【符号の説明】
【００３５】
(１)遊技機
(２)筐体
(３)前扉
(４)メダル投入部
(５)回転リール（表示装置）
(６)ベットスイッチボタン
(７)スタートスイッチレバー
(８)ストップスイッチボタン
(９)受け皿
(10)パネル
(10a)演出情報表示窓
(11)表示パネル
(11a)識別情報表示窓
(11b)有効ライン表示窓
(11c)遊技情報表示窓
(20)照明ユニット
(21)保護カバー
(21a)平坦部
(22)冷陰極管（管状光源）
(23)インバータ基板
(24)基板カバー
(24a)弾性係合爪
(25)弾性支持体
(25a)挿入部
(25b)嵌合部
(25c)貫通孔
(26)リード線
(27)ビス
(31)開口窓
(32)凹部
(32a)(32b)突条部
(32c)配線溝部
(33)垂下片
【図１】
2007117388.tif 000003
【図２】
2007117388.tif 000004
【図３】
2007117388.tif 000005
【図４】
2007117388.tif 000006
【図５】
2007117388.tif 000007
【図６】
2007117388.tif 000008
【図７】
2007117388.tif 000009
【図８】
2007117388.tif 000010